(57)【要約】【課題】部品点数を削減することができるコネクタを提供する。【解決手段】ハウジング３と、このハウジング３に設けられた複数の収容溝５内にそれぞれ挿入される複数のスライダ７とを備えたコネクタ１において、スライダ７の収容溝５に挿入される方向と直交する方向の両側面の形状を対称に形成した。【選択図】図１
2016219236.tif 000002
【特許請求の範囲】
【請求項１】
ハウジングと、このハウジングに設けられた複数の収容溝内にそれぞれ挿入される複数のスライダとを備えたコネクタであって、
前記スライダは、前記収容溝に挿入される方向と直交する方向の両側面の形状が対称に形成されていることを特徴とするコネクタ。
【請求項２】
請求項１記載のコネクタであって、
前記収容溝は、前記スライダの挿入方向の上流端が開口され、前記スライダの挿入方向の下流端が閉塞されていることを特徴とするコネクタ。
【請求項３】
請求項１又は２記載のコネクタであって、
前記収容溝には、前記スライダの挿入方向に沿って突部が設けられ、
前記スライダには、前記スライダの挿入方向に沿って前記突部と係合可能な溝部が設けられ、
前記溝部は、前記スライダの挿入方向の上流端が開口され、前記スライダの挿入方向の下流端が閉塞されていることを特徴とするコネクタ。
【発明の詳細な説明】
【技術分野】
【０００１】
本発明は、コネクタに関する。
【背景技術】
【０００２】
従来、コネクタとしては、図７〜図１０に示すように、ハウジングとしてのアウタハウジング１０３と、このアウタハウジング１０３に設けられた複数の収容溝１０５内にそれぞれ挿入される複数のスライダ１０７とを備えたものが知られている（例えば、特許文献１参照）。
【０００３】
このコネクタ１０１では、アウタハウジング１０３に、回動によりアウタハウジング１０３に収容されたインナハウジング１０９と相手ハウジング（不図示）とを嵌合させるレバー１１１が設けられ、スライダ１０７に、レバー１１１の回動により相手ハウジングに設けられたカムピン（不図示）に係合するカム溝１１３が設けられている。
【０００４】
このようなコネクタ１０１では、スライダ１０７に設けられたカム溝１１３と、相手ハウジングに設けられたカムピンとを係合させ、レバー１１１を回動させることにより、インナハウジング１０９と相手ハウジングとの嵌合における大きな嵌合操作力を得ることができ、端子の多極化などに伴う嵌合操作力の増大に対応することができる。
【先行技術文献】
【特許文献】
【０００５】
【特許文献１】特開２００９−２５２４８８号公報
【発明の概要】
【発明が解決しようとする課題】
【０００６】
ところで、上記特許文献１のようなコネクタ１０１では、アウタハウジング１０３の複数の収容溝１０５内にそれぞれ挿入される複数のスライダ１０７の形状が異なっている。
【０００７】
しかしながら、上記特許文献１のコネクタ１０１のように、複数のスライダ１０７の形状を異ならせてしまうと、部品点数が増加してしまい、このスライダ１０７をそれぞれ形成するための金型が必要となっていた。
【０００８】
そこで、この発明は、部品点数を削減することができるコネクタの提供を目的としている。
【課題を解決するための手段】
【０００９】
請求項１記載の発明は、ハウジングと、このハウジングに設けられた複数の収容溝内にそれぞれ挿入される複数のスライダとを備えたコネクタであって、前記スライダは、前記収容溝に挿入される方向と直交する方向の両側面の形状が対称に形成されていることを特徴とする。
【００１０】
このコネクタでは、スライダが、収容溝に挿入される方向と直交する方向の両側面の形状が対称に形成されているので、複数のスライダの形状が異なることがなく、複数のスライダの形状を共通化させ、複数の収容溝に対して複数のスライダを全て挿入させることができる。
【００１１】
従って、このようなコネクタでは、複数のスライダの形状を共通化することができるので、複数の金型を必要とすることがなく、部品点数を削減することができる。
【００１２】
請求項２記載の発明は、請求項１記載のコネクタであって、前記収容溝は、前記スライダの挿入方向の上流端が開口され、前記スライダの挿入方向の下流端が閉塞されていることを特徴とする。
【００１３】
このコネクタでは、収容溝が、スライダの挿入方向の上流端が開口され、スライダの挿入方向の下流端が閉塞されているので、収容溝に対して正規挿入方向の逆側からスライダが挿入されることを防止でき、ハウジングに対するスライダの誤組付を防止することができる。
【００１４】
請求項３記載の発明は、請求項１又は２記載のコネクタであって、前記収容溝には、前記スライダの挿入方向に沿って突部が設けられ、前記スライダには、前記スライダの挿入方向に沿って前記突部と係合可能な溝部が設けられ、前記溝部は、前記スライダの挿入方向の上流端が開口され、前記スライダの挿入方向の下流端が閉塞されていることを特徴とする。
【００１５】
このコネクタでは、スライダの溝部が、スライダの挿入方向の上流端が開口され、スライダの挿入方向の下流端が閉塞されているので、収容溝に対してスライダが逆向きで挿入されることを防止でき、ハウジングに対するスライダの誤組付を防止することができる。
【発明の効果】
【００１６】
本発明によれば、部品点数を削減することができるコネクタを提供することができるという効果を奏する。
【図面の簡単な説明】
【００１７】
【図１】本発明の実施の形態に係るコネクタの分解斜視図である。
【図２】本発明の実施の形態に係るコネクタのレバーを組付けるときの斜視図である。
【図３】本発明の実施の形態に係るコネクタのレバーを組付けたときの斜視図である。
【図４】本発明の実施の形態に係るコネクタのスライダを組付けるときの斜視図である。
【図５】本発明の実施の形態に係るコネクタのスライダを組付けるときの斜視図である。
【図６】本発明の実施の形態に係るコネクタのスライダを組付けるときの斜視図である。
【図７】従来例のコネクタの斜視図である。
【図８】従来例のコネクタの正面図である。
【図９】従来例のインナハウジングの分解斜視図である。
【図１０】従来例のコネクタの断面図である。
【発明を実施するための形態】
【００１８】
図１〜図６を用いて本発明の実施の形態に係るコネクタについて説明する。
【００１９】
本実施の形態に係るコネクタ１は、ハウジング３と、このハウジング３に設けられた複数の収容溝５内にそれぞれ挿入される複数のスライダ７とを備えている。
【００２０】
そして、スライダ７は、収容溝５に挿入される方向と直交する方向の両側面の形状が対称に形成されている。
【００２１】
また、収容溝５は、スライダ７の挿入方向の上流端が開口され、スライダ７の挿入方向の下流端が閉塞されている。
【００２２】
さらに、収容溝５には、スライダ７の挿入方向に沿って突部９が設けられ、スライダ７には、スライダ７の挿入方向に沿って突部９と係合可能な溝部１１が設けられている。
【００２３】
そして、溝部１１は、スライダ７の挿入方向の上流端が開口され、スライダ７の挿入方向の下流端が閉塞されている。
【００２４】
図１〜図６に示すように、コネクタ１は、ハウジング３と、相手ハウジング１３と、レバー１５と、スライダ７とを備えている。
【００２５】
ハウジング３は、合成樹脂などの絶縁性材料からなり、筐体状に形成され、中央部に複数の端子（不図示）を収容する複数の端子収容室１７が形成された端子収容部１９が設けられている。この端子収容部１９の外周には、フレーム部２１が設けられている。
【００２６】
フレーム部２１は、長方形の筒状に形成され、中央部に端子収容部１９が位置するように端子収容部１９と一体に形成されている。このフレーム部２１の幅方向両側には、それぞれ収容溝５，５が設けられている。
【００２７】
複数（ここでは２箇所）の収容溝５は、フレーム部２１の幅方向の両側にフレーム部２１の長さ方向に沿ってそれぞれ設けられている。この複数の収容溝５は、フレーム部２１の上面側が開口され、フレーム部２１の下面側が閉塞されるようにＵ字状に形成され、それぞれの収容溝５が同一形状となるように設定されている。
【００２８】
また、収容溝５は、スライダ７の挿入方向の上流端であるフレーム部２１の長さ方向の一端側が開口され、スライダ７の挿入方向の下流端であるフレーム部２１の長さ方向の他端側が閉塞されている。
【００２９】
このように収容溝５を形成させることにより、スライダ７の挿入方向の下流端であるフレーム部２１の長さ方向の他端側からスライダ７が挿入されることを防止でき、ハウジング３に対するスライダ７の誤組付を防止することができる。
【００３０】
また、複数の収容溝５の内部には、それぞれ上下方向の２箇所にスライダ７の挿入方向（ハウジング３の長さ方向）に沿って収容溝５の内方に向けて突部９が突設されている。なお、収容溝５の上側に位置する突部９は、ハウジング３の両側に位置する収容溝５，５とで対称となるように設けられているが、同一形状となるように形成させてもよい。
【００３１】
また、フレーム部２１の長さ方向の他端側で収容溝５の上面側には、レバー１５の軸部３３に係合してレバー１５をハウジング３に対して回動可能に支持する軸支部２３が設けられている。一方、収容溝５の下面側には、相手ハウジング１３のカムフォロア３１を挿入可能に開口された複数（ここでは２箇所）の開口部２５が設けられている。
【００３２】
このようなハウジング３のフレーム部２１には、相手ハウジング１３が挿入され、フレーム部２１の中央部に位置する端子収容部１９に対して相手ハウジング１３が嵌合される。
【００３３】
なお、端子収容部１９の相手ハウジング１３との嵌合面側には収容された端子を保持するフロントホルダ２７が組付けられており、反対面側には端子が接続された電線（不図示）に密着してハウジング３内を防水するマットシール２９が組付けられている。
【００３４】
相手ハウジング１３は、合成樹脂などの絶縁性材料からなり、ハウジング３の端子収容部１９よりも大きな筐体状に形成され、内部に端子収容部１９に収容された複数の端子に接続される複数の相手端子（不図示）が収容されている。
【００３５】
この相手ハウジング１３の上下面には、ハウジング３の収容溝５の開口部２５に挿入されると共に、スライダ７のカム溝４３に係合される複数（ここでは２箇所）のカムフォロア３１がそれぞれ突設されている。
【００３６】
このような相手ハウジング１３は、ハウジング３の複数の収容溝５内にそれぞれ複数のスライダ７を収容した状態で、カムフォロア３１を収容溝５の開口部２５に挿入するようにハウジング３のフレーム部２１内に挿入され、レバー１５の回動によってカムフォロア３１とスライダ７のカム溝４３とが係合しながらハウジング３の端子収容部１９と嵌合され、複数の端子と複数の相手端子とが接続される。
【００３７】
レバー１５は、両側面の一端側にそれぞれ内方に向けて突設された軸部３３をハウジング３の軸支部２３に係合することにより回動可能に組み付けられている。また、レバー１５には、一端がレバー１５の両側面に回動可能に軸支され、他端にスライダ７の被係合部４１に係合される係合部３５が突設された連動部材３７が設けられている。
【００３８】
このレバー１５は、相手ハウジング１３のカムフォロア３１がスライダ７のカム溝４３に挿入された状態、すなわちハウジング３の端子収容部１９と相手ハウジング１３との仮嵌合状態で、操作部３９を押圧操作することにより回動し、てこ作用によって端子収容部１９と相手ハウジング１３とを正規嵌合状態とさせる。
【００３９】
複数のスライダ７は、合成樹脂などの絶縁性材料からなり、薄板状に形成され、上面側にレバー１５の連動部材３７の係合部３５に係合可能な被係合部４１が設けられると共に、中央部の２箇所に相手ハウジング１３のカムフォロア３１と係合可能なカム溝４３が設けられている。
【００４０】
また、複数のスライダ７は、収容溝５に挿入される方向と直交する方向の両側面の形状が対称に形成されている。詳細には、スライダ７の両側面には、収容溝５の突部９と係合可能な溝部１１が上下方向の２箇所にスライダ７の挿入方向（スライダ７の長さ方向）に沿ってそれぞれ設けられている。
【００４１】
このようにスライダ７の形状を設定することにより、複数種類の金型を用いることなく、１種類の金型によって複数のスライダ７を成形することができ、部品点数を削減することができる。
【００４２】
このようなスライダ７の溝部１１は、スライダ７の挿入方向の上流端であるスライダ７の長さ方向の一端側が開口され、スライダ７の挿入方向の下流端であるスライダ７の他端側が閉塞されている。
【００４３】
このように溝部１１を形成させることにより、収容溝５に対してスライダ７が逆向きで挿入される場合、収容溝５の突部９と溝部１１を閉塞する壁部とが干渉し、スライダ７を収容溝５に挿入することができず、ハウジング３に対するスライダ７の誤組付を防止することができる。
【００４４】
このようなスライダ７は、収容溝５の突部９と溝部１１とを係合させて収容溝５内に挿入され、収容溝５内に突設された仮止突起４５に被係合部４１が係合する位置まで挿入されて仮組付状態となる。このとき、収容溝５の突部９とスライダ７の溝部１１とが係合しているので、スライダ７が収容溝５の上方から抜け出すことが防止される。
【００４５】
このハウジング３に対するスライダ７の仮組付状態で、スライダ７の被係合部４１にレバー１５の連動部材３７の係合部３５を係合させることにより、相手ハウジング１３を嵌合させる前の待ち受け状態となる。
【００４６】
このハウジング３の待ち受け状態に対して相手ハウジング１３を端子収容部１９に仮嵌合させ、レバー１５を回動させることにより、相手ハウジング１３のカムフォロア３１とスライダ７のカム溝４３が係合し、スライダ７が収容溝５内を移動しつつ、てこ作用によって端子収容部１９と相手ハウジング１３とが正規嵌合状態となる。
【００４７】
このようなコネクタ１では、スライダ７が、収容溝５に挿入される方向と直交する方向の両側面の形状が対称に形成されているので、複数のスライダ７の形状が異なることがなく、複数のスライダ７の形状を共通化させ、複数の収容溝５に対して複数のスライダ７を全て挿入させることができる。
【００４８】
従って、このようなコネクタ１では、複数のスライダ７の形状を共通化することができるので、複数の金型を必要とすることがなく、部品点数を削減することができる。
【００４９】
また、収容溝５は、スライダ７の挿入方向の上流端が開口され、スライダ７の挿入方向の下流端が閉塞されているので、収容溝５に対して正規挿入方向の逆側からスライダ７が挿入されることを防止でき、ハウジング３に対するスライダ７の誤組付を防止することができる。
【００５０】
さらに、スライダ７の溝部１１は、スライダ７の挿入方向の上流端が開口され、スライダ７の挿入方向の下流端が閉塞されているので、収容溝５に対してスライダ７が逆向きで挿入されることを防止でき、ハウジング３に対するスライダ７の誤組付を防止することができる。
【００５１】
なお、本発明の実施の形態に係るコネクタでは、複数の収容溝と複数のスライダとが２つ設けられる構造となっているが、これに限らず、収容溝とスライダとを２つ以上設けてもよい。
【００５２】
また、スライダは、相手ハウジングのカムフォロアと係合するカム溝が設けられた部材となっているが、これに限らず、例えば、ハウジングに収容された端子の抜け止めを行うスペーサなど、複数の収容溝に挿入される複数の部材であれば、スライダはどのような部材であってもよい。
【符号の説明】
【００５３】
１…コネクタ
３…ハウジング
５…収容溝
７…スライダ
９…突部
１１…溝部
【図１】
2016219236.tif 000003
【図２】
2016219236.tif 000004
【図３】
2016219236.tif 000005
【図４】
2016219236.tif 000006
【図５】
2016219236.tif 000007
【図６】
2016219236.tif 000008
【図７】
2016219236.tif 000009
【図８】
2016219236.tif 000010
【図９】
2016219236.tif 000011
【図１０】
2016219236.tif 000012